(57)【特許請求の範囲】
【請求項１】
トラクタの後部に３点リンクヒッチ機構を介して昇降可能に装着され、水平方向に延びる作業ロータ（１２）の上方をシールドカバー（２０）により覆い、該シールドカバー（２０）の左右両側に該シールドカバー（２０）の左右側板を兼ねる係止板（２８）を介して接続されたサイドカバー部（２６）の内面に、作業ロータ（１２）により耕起された土が付着するのを防止する合成樹脂製の土付着防止板（２７）を設けたロータリ作業機（１）において、
上記土付着防止板（２７）の上縁部全体を前記係止板（２８）によりサイドカバー部（２６）に対して挟みつけるようにして係止し、該土付着防止板（２７）の下部を部分的に、サイドカバー部（２６）に対し表面側に突出部のないサラボルト（２９）により複数個所固定するようにしたことを特徴とするロータリ作業機の土付着防止板固定方法。
【請求項２】
上記係止板（２８）の下端縁に、土付着防止板（２７）の厚さとほぼ等しい段部（２８ａ）を形成し、この段部（２８ａ）により土付着防止板（２７）の上縁部を挟みつけて係止するようにしたことを特徴とする請求項１記載のロータリ作業機の土付着防止固定方法。
【発明の詳細な説明】
【０００１】
【発明の属する技術分野】
本発明は、シールドカバーの左右両側のサイドカバー部の内面に設けられる土付着防止板を、裏側に土が入り込むのを防止し、装着・交換を容易にするようにしたロータリ作業機の土付着防止板固定方法に関する。
【０００２】
【従来の技術】
従来、トラクタの後部に３点リンクヒッチ機構を介して昇降可能に装着され、水平方向に延びる作業ロ−タの上方をシールドカバーにより覆い、該シールドカバーの左右両側のサイドカバー部の内面に、作業ロ−タにより耕起された土が付着するのを防止する合成樹脂製の土付着防止板を設けたロータリ作業機が知られている。
【０００３】
【発明が解決しようとする課題】
上記従来の土付着防止板は、その上部及び下部のそれぞれ３箇所程度を、サイドカバー部に対しボルト・ナットにより固着していた。このため、作業ロ−タにより耕起された土が、特に上部から土付着防止板の裏側に入ってしまい、土付着防止板を作業ロ−タ側に膨出させてしまって摩擦が大きくなり、耐久性を悪くなる。また、土付着防止板を装着したり交換したりするときは、全部のボルト・ナットを挿通して締め付けたり、あるいは取り外す必要がある。さらに、ボルト・ナットが土付着防止板の表面から作業ロ−タ側に突出していると、ここに藁稈等が引っかかってしまい、これを取り除く必要がある、等の問題点があった。
【０００４】
本発明は、シールドカバーの左右両側のサイドカバー部の内面に設けられる土付着防止板を、その裏側に土が入り込むのを防止すると共に、サイドカバー部への装着・交換が容易に行え、藁稈等が引っかかることがないようにしたロータリ作業機の土付着防止板固定方法を提供することを目的とする。
【０００５】
【課題を解決するための手段】
上記の目的を達成するために本発明は、
Ａ．トラクタの後部に３点リンクヒッチ機構を介して昇降可能に装着され、水平方向に延びる作業ロータ１２の上方をシールドカバー２０により覆い、該シールドカバー２０の左右両側に該シールドカバー２０の左右側板を兼ねる係止板２８を介して接続されたサイドカバー部２６の内面に、作業ロータ１２により耕起された土が付着するのを防止する合成樹脂製の土付着防止板２７を設けたロータリ作業機１において、
上記土付着防止板２７の上縁部全体を前記係止板２８によりサイドカバー部２６に対して挟みつけるようにして係止し、該土付着防止板２７の下部を部分的に、サイドカバー部２６に対し表面側に突出部のないサラボルト２９により複数個所固定するようにしたことを特徴としている。
【０００６】
Ｂ．上記係止板２８の下端縁に、土付着防止板２７の厚さとほぼ等しい段部２８ａを形成し、この段部２８ａにより土付着防止板２７の上縁部を挟みつけて係止するようにしたことを特徴としている。
【０００７】
【作用】
上記の手段により本発明のロータリ作業機の土付着防止板固定方法は、
▲１▼．土付着防止板の上縁部全体をシールドカバーの左右両側に設けた係止板によりサイドカバー部に対して挟みつけるようにして係止し、該土付着防止板の下部を部分的に、サイドカバー部に対し表面側に突出部のないサラボルトにより複数個所固定することで、作業ロ−タにより耕起された土が係止板により土付着防止板の裏側に入り込むことがない。また、係止板やサラボルトに藁稈等が引っかかることがない。
【０００８】
▲２▼．係止板の下端縁に、土付着防止板の厚さとほぼ等しい段部を形成し、この段部により土付着防止板の上縁部を挟みつけて係止することで、サイドカバー部に対する土付着防止板の装着・取り外しが簡単、かつ容易に行われる。
【０００９】
【発明の実施の形態】
以下、本発明の実施の形態を添付の図面を参照して具体的に説明する。
図１及び図２において、符号１は左右方向の長さが長く耕耘機能を持つ耕耘ロータリである。この耕耘ロータリ１の前部には、図示しないトラクタのトップリンクとロアーリンクとからなる周知の３点リンクヒッチ機構に連結されるトップマスト２とロアーリンク連結部３が設けられ、耕耘ロータリ１はトラクタの後部に昇降可能に装着される。また、トラクタのＰＴＯ軸から、ユニバーサルジョイント、伝動シャフト等を介して、耕耘ロータリ１の前側左右中央部に設けられた変速ギヤボックス４から前方に突出している入力軸４ａに動力が伝達される。
【００１０】
上記ギヤボックス４から左右両側に、本体フレームを兼ね、伝動シャフト５を内装した伝動フレーム６、及び中空の支持フレーム７が水平方向に延設されている。この伝動フレーム６の側端部にはチェン伝動ケース８が垂設され、また、支持フレーム７の側端部には側部フレーム９がチェン伝動ケース８と対向して垂設されている。このチェン伝動ケース８の下端部と側部フレーム９の下端部との間にロータリ軸１０が軸架されている。このロータリ軸１０の軸周には多数の耕耘爪１１が取付けられて耕耘ロ−タ１２を構成している。そして、入力軸４ａに伝達された動力はギヤボックス４内でギヤ変速され、伝動シャフト５を回転させてチェン伝動ケース８を介してロータリ軸１０を回転駆動し、耕耘ロ−タ１２を所定方向に回転させて耕耘作業を行う。
【００１１】
耕耘ロ−タ１２の前側には、該耕耘ロ−タ１２の耕深を調節するための、左右一対のゲージホイール１３が設けられている。このゲージホイール１３は、本体フレーム１４から前方に突出するように固定されたホイールブラケット１５の上下方向のホイールアーム挿通部１５ａに、ゲージホイール１３を下端部に軸支したホイールアーム１３ａを、その軸心線がホイールアーム挿通部１５ａの軸心線と同じになるようにして挿通し、ホイールアーム挿通部１５ａに形成したピン穴１５ｂ（２個）とホイールアーム１３ａに形成した多数のピン穴１３ｂの一つを合致させ、そこに係止ピン１６を挿通してゲージホイール１３を上下調節して固定するようにしている。
【００１２】
上記ホイールアーム１３ａの上端には上下操作用グリップ１７が設けられ、この上下操作用グリップ１７の取付け具１７ａの下端部と上記ホイールアーム挿通部１５ａの上端部にはそれぞれバネ座１８が固設され、このバネ座１８，１８間に、バランサーとしてのコイルバネ１９を介装し、ホイールアーム１３ａを上方に向け付勢している。
【００１３】
上記耕耘ロ−タ１２の上側はシールドカバー２０により覆われ、このシールドカバー２０の左右両側端部には側部カバー２１が設けられている。上記シールドカバー２０の後端部には枢支部２２を介してエプロン２３の前端部が上下回動可能に枢支され、このエプロン２３の左右両側部にも側部カバー２３ａが設けられている。このエプロン２３の上面と本体フレームとの間にはコンプレッションロッド２４が設けられ、このコンプレッションロッド２４には、ロックピン２５が設けられていて、エプロン２３をはね上げた状態でロック可能となっている。
【００１４】
図３及び図４に示すように、シールドカバー２０の左右両側にシールドカバー２０の左右側板を兼ねる係止板２８を介して接続されたサイドカバー部２６の内面（チェン伝動ケース８及び側部フレーム９の内面側）に、作業ロータ１２により耕起された土が付着するのを防止する合成樹脂製の土付着防止板２７を設けている。この土付着防止板２７は、その上端（縁）部全部をシールドカバー２０の左右側板を兼ねる係止部材２８によりサイドカバー部２６に対して挟みつけるようにして係止し、土付着防止板２７の下部を部分的に、サイドカバー部２６に対し表面側に突出部のないサラボルト２９により３箇所固定している。
【００１５】
上記係止板２８の下端縁には、土付着防止板２７の厚さとほぼ等しい段部２８ａが形成されており、この段部２８ａにより土付着防止板２７の上縁部を挟みつけて係止している。
【００１６】
【発明の効果】
以上説明したように本発明のロータリ作業機の土付着防止板固定方法によれば、以下の効果を奏することができる。
【００１７】
▲１▼．土付着防止板２７の上縁部全体をシールドカバー２０の左右両側に設けた係止板２８によりサイドカバー部２６に対して挟みつけるようにして係止し、該土付着防止板２７の下部を部分的に、サイドカバー部２６に対し表面側に突出部のないサラボルト２９により複数個所固定するので、作業ロ−タ１２により耕起された土が土付着防止板２７によりチェン伝動ケース８や側部フレーム９の内面に付着するのが防止され、また、土が係止板２８により土付着防止板２７の裏側に入り込むのが防止される。また、係止板２８やサラボルト２９に藁稈等が引っかかることがない。
【００１８】
▲２▼．係止板２８の下端縁に、土付着防止板２７の厚さとほぼ等しい段部２８ａを形成し、この段部２８ａにより土付着防止板２７の上縁部を挟みつけて係止するので、サイドカバー部２６に対する土付着防止板２７の装着・取り外しを簡単、かつ容易に行うことができる。
【図面の簡単な説明】
【図１】本発明を装備した耕耘ロータリ全体の側面図である。
【図２】同要部の平断面図である。
【図３】本発明の要部の側面図である。
【図４】同部分断面図である。
【符号の説明】
１  耕耘ロータリ
２  トップマスト
３  ロアーリンク連結部
４  変速ギヤボックス  ４ａ  入力軸
５  伝動シャフト
６  伝動フレーム
７  支持フレーム
８  チェン伝動ケース
９  側部フレーム
１０  ロータリ軸
１１  耕耘爪１１
１２  耕耘ロ−タ
１３  ゲージホイール  １３ａ  ホイールアーム  １３ｂ  ピン穴
１４  本体フレーム
１５  ホイールブラケット  １５ａ  ホイールアーム挿通部  １５ｂ  ピン穴
１６  係止ピン
１７  上下操作用グリップ  １７ａ  取付け具
１８  バネ座
１９  コイルバネ
２０  シールドカバー
２１  側部カバー
２２  枢支部
２３  エプロン  ２３ａ  側部カバー
２４  コンプレッション
２５  ロックピン
２６  サイドカバー部
２７  土付着防止板
２８  係止板  ２８ａ  段部
２９  サラボルト
【図１】
0003762045.tif 000002
【図２】
0003762045.tif 000003
【図３】
0003762045.tif 000004
【図４】
0003762045.tif 000005